(57)【特許請求の範囲】
【請求項１】
エスカレータのステップに走行方向に向けて形成されている複数の平行なクリート溝を清掃するエスカレータステップ洗浄具であって、上面に取っ手を備えた天板、天板の両端から下方へ延出する左右側壁を備えた洗浄体保持部と、複数の洗浄拭掃材を支持手段によって左右側壁相互間に固定して成る洗浄体とを備え、洗浄体は支持手段を介して洗浄体保持部の左右側壁相互間で脱着自在に取り付け可能にし、複数のクリート溝に対応するよう複数の洗浄拭掃材をクリート溝間隔に対応して肉厚が変動可能な弾性作用がある合成樹脂製の板状のスペーサを介して並列状に組み合わせると共に、複数の洗浄拭掃材の各下端縁を複数のクリート溝それぞれに対応させるべく洗浄体保持部から下方に向けて突出配置させて成ることを特徴とするエスカレータステップ洗浄具。
【請求項２】
洗浄拭掃材は、洗浄液が含ませられる浸潤性を備えている請求項１記載のエスカレータステップ洗浄具。
【請求項３】
洗浄体は、支持手段を介して洗浄体保持部の左右側壁相互間で上下反転自在に取り付け可能にした請求項１または２記載のエスカレータステップ洗浄具。
【請求項４】
支持手段は、洗浄体に一対となって貫通される棒状材にて形成され、当該支持手段の端部を、洗浄体保持部の左右側壁の内面において下端縁から上側に向けて形成された嵌合部に下側から挿入させ且つ前後いずれかの方向に移動させることで洗浄体を抜脱不能な状態に保持させて成る請求項１乃至３のいずれか記載のエスカレータステップ洗浄具。
【請求項５】
嵌合部は、溝状またはスリット状に形成されている請求項４記載のエスカレータステップ洗浄具。
【発明の詳細な説明】
【技術分野】
【０００１】
本発明は、エスカレータのステップに形成されているクリート溝内を洗浄し、クリート溝内面にこびりついたように付着した機械油等の油脂分、その汚損物等を洗浄、除去するためのエスカレータステップ洗浄具に関する。
【背景技術】
【０００２】
エスカレータのステップは、足が乗るクリート面と前傾部のライザー面とを備え、クリート面には多数のクリート溝が、またライザー面には多数のライザー溝が走行方向に形成されている。これらクリート面やライザー面を清掃するときには、作業者が吸引掃除機や電動回転ブラシ等を使ってクリート溝やライザー溝内に付着した塵埃等を捕集するか除去するかしているのである。
【０００３】
その塵埃等の捕集、除去のために、従来においては、例えば特許文献１に開示されているように、ステップのクリート面やライザー面に傷を付けることなく塵埃を除去することができるエスカレータ用ステツプ清掃具が存在する。これは、持ち手に連結した清掃体保持部に、クリート面のクリート溝やライザー面のライザー溝等の条溝に嵌合する凹凸部を下端縁に有する薄板状の弾性体から成る清掃体を取り付けて構成されている。そして、掃除機のノズルに連結して、硬質スポンジ等の弾性体で形成された清掃体の凹凸面を条溝に合致させ、掃除機を作動させながら清掃体の凹凸面を条溝に沿つて往復動させることで条溝に付着していた塵埃を除去するものとなっている。
【０００４】
また、特許文献２に開示されているように、従来の掃除機用のブラシを使ったものよりも小型軽量で汎用性のあるエスカレータ用掃除機の吸引ヘッドなるものも存在する。これは、吸引ヘッドをステップのクリート面またはライザー面に押し当てる際にクリート溝またはライザー溝と直交する方向に配置される前後の側壁に沿って、それぞれ所定の角度をもって下方へ延出し、各クリート溝等に進入するように列をなして植設された第１および第２のブラシ列を具備して成るものである。
【０００５】
また、特許文献３に開示されているように、エスカレータを運転しながらステップのクリート面のクリート溝内を、ゴミを周囲に飛散させることなく清掃することのできるステップ清掃装置なるものも存在する。この装置は、ステップのクリート面と略同幅のブラシの前後に、吸引装置の吸込口を配置して成る本体部と、該本体部をエスカレータのステップ上方位置に固定する固定手段とを有して成り、エスカレータを運転しながら吸引装置により吸引を行うと、ブラシによりクリート溝内のゴミが掻き出され、吸引装置に吸引されるものとなっている。
【先行技術文献】
【特許文献】
【０００６】
【特許文献１】特開平６−２９８４７９号公報
【特許文献２】実用新案登録第３１１６０３３号公報
【特許文献３】特開平７−２７７６６２号公報
【発明の概要】
【発明が解決しようとする課題】
【０００７】
しかしながら、上記した従来の清掃具、吸引ヘッド、清掃装置等においては、吸引掃除機を用いた場合では、ステップのクリート面、ライザー面に多数のクリート溝、ライザー溝がそれぞれあるために吸い口内部を真空状態にできず捕集効率が悪いものとなる。また、電動回転ブラシを用いた場合では、当該ブラシがクリート溝やライザー溝の内奥部まで十分に届かないため、クリート溝等内に堅固に付着した塵埃を完全に除去することができず、しかもステップのクリート面やライザー面に傷を付けてしまう等の虞れも生じる。特に、このような従来の清掃具等では、クリート溝内にこびりついている塵埃が混じった油脂分は除去できず、またその油脂分を洗浄除去することは全く考慮されていない。
【０００８】
また、特許文献１によるエスカレータ用ステツプ清掃具の場合では、下端縁に凹凸部を有する薄板状の弾性体によって清掃体が形成されているため、清掃体をエスカレータの走行方向にスライドさせた際に、条溝内に嵌合されている凸部が滑り摩擦によって走行方向に撓曲してしまい、塵埃を完全に除去することができない。
【０００９】
特許文献２によるエスカレータ用掃除機の吸引ヘッドの場合では、たとえブラシ列が各クリート溝や各ライザー溝に進入するように列をなしていても、吸引ヘッドの吸引口の面積自体がブラシ列部分よりも広いため、吸引口内部を真空状態にできず捕集効率が悪いものとなる。しかも、ブラシ列によってステップのクリート面やライザー面に傷を付けてしまう虞れもある。
【００１０】
特許文献３によるステップ清掃装置の場合では、本体部が、ステップのクリート面と略同幅となった横１列のブラシの前後に、ステップのクリート面と略同幅となった吸込口を配置して成る。そのため、クリート面への吸込口の下端縁の接触によって当該クリート面を傷付けないように本体部を固定手段によってステップ上方位置に固定配置させるとするが、このような固定手段による本体部の上下位置調整自体が非常に面倒な作業となる。しかも、この調整設定が微妙に狂ってしまうと、ゴミの効率的な吸引除去が行えないばかりでなく、かえってステップを傷付けてしまう虞がある。
【００１１】
そればかりでなく、クリート溝内面に付着している機械油の油脂分、更にはこの油脂分に塵埃等が混ざり、凝固された汚損物等は溝内面にこびりついた状態となっているから、真空吸引やブラシ清掃等では簡単に除去できず、ステップの出没、昇降等を伴うエスカレータ運転に支障を来すこともあった。
【００１２】
そこで、本発明は叙上のような従来存した諸事情に鑑み創出されたもので、吸引掃除機を使用せずに、ステップを傷付けることなく当該ステップのクリート溝等内にこびりついたように付着した油脂分、塵埃の汚損物等を、エスカレータを運転しながら効率良く且つ完全に洗浄、除去することができるエスカレータステップ洗浄具を提供することを目的とする。
【課題を解決するための手段】
【００１３】
上述した課題を解決するために、本発明にあっては、エスカレータのステップＳに走行方向に向けて形成されている複数の平行なクリート溝Ｃを洗浄するエスカレータステップ洗浄具であって、上面に取っ手５を備えた天板２、天板２の両端から下方へ延出する左右側壁３を備えた洗浄体保持部１と、複数の洗浄拭掃材１２を支持手段（１４，１５，１８）によって左右側壁３相互間に固定して成る洗浄体１１とを備え、洗浄体１１は支持手段（１４，１５，１８）を介して洗浄体保持部１の左右側壁３相互間で脱着自在に取り付け可能にし、複数の洗浄拭掃材１２の各下端縁を複数のクリート溝Ｃそれぞれに対応させるべく洗浄体保持部１から下方に向けて突出配置させて成るものである。
洗浄拭掃材１２は、洗浄液が含ませられる浸潤性を備えている構成とすることができる。
洗浄体１１は、支持手段（１４，１５，１８）を介して洗浄体保持部１の左右側壁３相互間で上下反転自在に取り付け可能にした構成とすることができる。
洗浄体１１は、複数のクリート溝Ｃに対応するよう複数の洗浄拭掃材１２をスペーサ１３を介して並列状に組み合わせた構成とすることができる。
スペーサ１３は、クリート溝Ｃ間隔に対応して肉厚が変動可能な弾性作用がある合成樹脂製にて板状に形成することができる。
支持手段（１４、１５，１８）は、洗浄体１１に一対となって貫通される棒状材にて形成され、当該支持手段（１４、１５，１８）の端部（１４ａ，１５ａ，１８ａ）を、洗浄体保持部１の左右側壁３の内面において下端縁から上側に向けて形成された嵌合部４に下側から挿入させ且つ前後いずれかの方向に移動させることで、洗浄体１１を抜脱不能な状態に保持させる構成とすることができる。
嵌合部４は、溝状またはスリット状に形成されているものとすることができる。
【００１４】
以上のように構成された本発明に係るエスカレータステップ洗浄具にあって、洗浄体１１は支持手段（１４，１５，１８）を介して洗浄体保持部１の左右側壁３相互間に取り付けられた際には、スペーサ１３が弾性材であることと相俟ち、複数の洗浄拭掃材１２の各下端縁を複数のクリート溝Ｃ自体の幅員相違、その間隔幅員の相違それぞれに対応して洗浄体保持部１から下方に向けて突出配置させる。
そして、洗浄体保持部１の取っ手５を把持して、洗浄液等を含ませた洗浄体１１の洗浄拭掃材１２がステップＳのクリート溝Ｃにあてがわせられたままの状態で、エスカレータが運転されると、その運転中に繰り出されてくるステップＳの上昇あるいは下降の前進移動に伴い、洗浄拭掃材１２によりクリート溝Ｃ内の油脂分等を洗浄除去させ、また塵埃等をも謂わば掻き払い状に除去させる。
支持手段（１４，１５，１８）を介して洗浄体保持部１の左右側壁３相互間で脱着自在に且つ上下反転自在に取り付け可能にした洗浄体１１は、当該洗浄体１１の上下反転使用を可能にさせる。
複数の洗浄拭掃材１２をスペーサ１３を介して並列状に組み合わせて成る洗浄体１１は、複数のクリート溝Ｃ相互の間隔に対応すべく複数の洗浄拭掃材１２相互間にスペーサ１３を介在させることで、複数の洗浄拭掃材１２の各下端縁を複数のクリート溝Ｃそれぞれに嵌合可能にさせる。
肉厚が変動可能な弾性作用がある合成樹脂製の板状のスペーサ１３は、洗浄体１１として組み合わせられるときの洗浄拭掃材１２相互の間隔を、セットすべき洗浄拭掃材１２の枚数の選定と共に弾性作用によって広狭自在に調整させ、クリート溝Ｃ相互間の突条堰幅員を隔てた状態でクリート溝Ｃそれぞれ内に個別に嵌合させる。
洗浄体保持部１の左右側壁３の内面において下端縁から上側に向けて形成された嵌合部４は、洗浄体１１に一対となって貫通されている棒状の支持手段（１４、１５）の端部を下側から挿入させ且つ前後いずれかの方向に移動させることで、洗浄体１１自体を洗浄体保持部１に保持させる。
溝状またはスリット状に形成されている嵌合部４は、洗浄体保持部１に対し支持手段（１４、１５，１８）による洗浄体１１の脱着をスムーズに行わせる。
【発明の効果】
【００１５】
本発明によれば、吸引掃除機を使用せずに、ステップＳを傷付けることなく当該ステップＳのクリート溝Ｃ等内にこびりつくように付着された油脂分、更には油脂分に混じっている塵埃等を洗浄拭掃材１２に含ませた洗浄液と共に洗浄除去でき、しかもエスカレータを運転しながら効率良く且つ確実に、また掻き取るように除去することができる。
【００１６】
すなわちこれは、本発明が、上面に取っ手５を備えた天板２、天板２の両端から下方へ延出する左右側壁３を備えた洗浄体保持部１と、複数の洗浄拭掃材１２を支持手段（１４，１５，１８）によって左右側壁３相互間に固定して成る洗浄体１１とを備え、洗浄体１１は支持手段（１４，１５，１８）を介して洗浄体保持部１の左右側壁３相互間で脱着自在に取り付け可能にし、複数の洗浄拭掃材１２の各下端縁を複数のクリート溝Ｃそれぞれに対応させるべく洗浄体保持部１から下方に向けて突出配置させて成るからである。これにより、所定の洗浄液を含ませた複数の洗浄拭掃材１２の各下端縁が複数のクリート溝Ｃそれぞれに対しエスカレータの走行方向に沿って確実に嵌合させることができ、このように嵌合させた状態のまま取っ手５を把持固定しておくだけで、エスカレータを運転しながらクリート溝Ｃ内の油脂分、塵埃等を効率的に洗浄し、拭掃でき、汚損物等を確実に除去でき、ひいてはエスカレータのステップＳの円滑な出没、昇降による円滑な運転を可能にする。
【００１７】
洗浄体１１は、支持手段（１４，１５，１８）を介して洗浄体保持部１の左右側壁３相互間で上下反転自在に取り付け可能にしたので、洗浄拭掃材１２の下端縁側が摩耗した際には、洗浄体１１自体を上下反転させて洗浄体保持部１に取り付けることで、洗浄体１１の繰り返し使用が可能となる。
【００１８】
洗浄体１１は、複数のクリート溝Ｃに対応するよう複数の洗浄拭掃材１２をスペーサ１３を介して並列状に組み合わせた構成となっているので、複数の洗浄拭掃材１２相互間に介在するスペーサ１３によって複数の洗浄拭掃材１２同士の間隔が複数のクリート溝Ｃ同士の間隔に容易に対応させることができる。
【００１９】
また、スペーサ１３は弾性材にて形成されているので、支持手段（１４、１５，１８）によって複数の洗浄拭掃材１２と共に洗浄体１１として組み合わせられるとき、その弾性作用によって洗浄拭掃材１２相互の間隔を調整でき、例えばクリート溝Ｃ相互間の突条堰の幅員に相違があってもこれに対応できる。しかも、洗浄体１１として組み合わせるときの洗浄拭掃材１２の枚数の選定を考慮することでクリート溝Ｃそれぞれに個別に嵌合できるものとなる。そのため、クリート溝Ｃ内の汚損物等を洗浄拭掃材１２に含ませた洗浄液による浸潤作用、洗浄拭掃材１２それぞれの下端縁の複数のクリート溝Ｃそれぞれに対する確実な嵌合作用等で、油脂分、それを含む塵埃等をいわば掻き取り状に除去することができる。
【００２０】
支持手段（１４、１５，１８）は、洗浄体１１に一対となって貫通される棒状材によって形成され、当該支持手段（１４、１５，１８）の端部（１４ａ，１５ａ，１８ａ）を、洗浄体保持部１の左右側壁３の内面において下端縁から上側に向けて形成された嵌合部４に下側から挿入させ且つ前後いずれかの方向に移動させることで洗浄体１１を抜脱不能な状態に保持させる構成としたので、洗浄体保持部１に対する洗浄体１１の廃棄時・交換時・反転時における脱着が容易に行える。しかも、支持手段（１４、１５，１８）は、洗浄体１１に一対となって貫通されていることで当該洗浄体１１は洗浄体保持部１に対し２点で支持されて回転不能な安定した状態となり、クリート溝Ｃに洗浄拭掃材１２の各下端縁をあてがった際でも、洗浄体１１自体をガタ付かせることはない。
【００２１】
嵌合部４は、溝状またはスリット状に形成されているので、洗浄体保持部１に対する洗浄体１１の脱着が容易に行えると共に、溝状である場合には、支持手段（１４、１５，１８）の端部（１４ａ，１５ａ，１８ａ）が洗浄体保持部１の左右側壁３外に突出することなく、余計な出張り部分による周囲物に対して破損・損傷等を与えることがなく、安全に使用できる。
【００２２】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２３】
【図１】本発明を実施するための一形態を示す分解斜視図である。
【図２】同じく組立後の状態を示し、側壁の嵌合部の位置する一部を切欠した状態の斜視図である。
【図３】同じく側壁の嵌合部に支持手段の第１支持材または第２支持材の端部を装着する一例を示すもので、（ａ）は装着前の状態の一部切欠断面図、（ｂ）は装着後の状態の一部切欠断面図である。
【図４】同じく使用状態を示す縦断面図である。
【図５】同じく他の実施の形態における洗浄体の分解斜視図である。
【図６】同じく使用状態を示す斜視図である。
【発明を実施するための形態】
【００２４】
以下、図面を参照して本発明の実施の一形態を詳細に説明すると、図において示される符号１は、本発明に係るエスカレータステップ洗浄具を構成する洗浄体保持部である。該洗浄体保持部１は、図１および図２に示すように、例えば前後幅が約１００ｍｍ、左右幅が約２００ｍｍ程度の略矩形薄板状の天板２と、天板２の左右両端から下方へ延出する縦幅が約３０ｍｍ程度の左右側壁３とを備え、天板２の上面中央には前後いずれかの方向に向けて斜行状に連設した突出している取っ手５を設けてある。
【００２５】
また、図３および図４に示すように、洗浄体保持部１の左右側壁３の各内面には、下端縁から上側に向けて形成された略Ｔ字状の溝による嵌合部４が前後一対となって形成されている。この嵌合部４に、後述する洗浄体１１に装着された支持手段（１４，１５，１８）における第１支持材１４および第２支持材１５、支持棒材１８の端部１４ａ，１５ａ，１８ａが挿入、移動されることで脱着可能に取り付けられており、これによって当該洗浄体１１が左右側壁３相互間に挟持配置されるようにしてある。
【００２６】
このとき、図１、図２、図４に示すように、嵌合部４の位置する側壁３部分は、左右側壁３の下端縁から所定深さの溝状となるように外方へ若干膨出した状態となっている。すなわち、嵌合部４は、側壁３の内側から外側に向けて略Ｔ字状に膨らませることで形成されていて、支持手段（１４，１５，１８）の端部１４ａ，１５ａ，１８ａがスライドして嵌め入れられるようになっている。
【００２７】
尚、前後一対の嵌合部４は略Ｔ字状に形成する代わりに、共に略Ｌ字状としても良い。また、嵌合部４を溝によって形成する他に、略Ｔ字状もしくは略Ｌ字状のスリットにしても良く、支持手段（１４，１５，１８）の端部１４ａ，１５ａ，１８ａそれぞれが左右側壁３における下端縁の開口を経てスライド挿入されて嵌め入れ、固定されるようになっていれば良い。
【００２８】
洗浄体１１は、例えば前後幅が約１００ｍｍ、縦幅が約５０ｍｍ程度、肉厚がクリート溝Ｃの溝幅員に相当するようにした略矩形板状に成形された例えば合計約２０枚のフェルト材製の洗浄拭掃材１２を、例えば前後幅が約１００ｍｍ、縦幅が約１０ｍｍ程度の板状に成形された例えば肉厚が変動できるように弾性作用がある合成樹脂製の合計１９枚のスペーサ１３の各１枚を介在させて並列状に組み合わせることで構成されている。また、スペーサ１３自体は、その長手方向が前後に向けて洗浄拭掃材１２の略中央に位置するように配置されていて、洗浄拭掃材１２と共に支持手段（１４，１５，１８）が貫挿されることで所定数で組み合わせられる。組み合わせられるとき、クリート溝Ｃの溝幅員、その相互間の突条堰の幅員等に対応するよう、必要があれば複数枚の洗浄拭掃材１２あるいはスペーサ１３を重ね合わせることもある。
【００２９】
尚、洗浄拭掃材１２としては、羊毛等を圧縮して形成される湿潤性の高いフェルト材製の素材を用いているが、本発明はこのフェルト材製の素材に限らず、その他の種々の布地素材等を例えば重ねて使用したり、ブラシ構造のものとしたり等にすることができ、いずれにおいても、油脂分等を洗浄除去するよう使用される洗浄液が含ませられる湿潤性を備えていれば良い。また、ステップＳを傷付けずに、付着した油脂分、塵埃等を掻き落とすことが可能な、ある程度の硬さを有していることも望ましい。
【００３０】
そして、洗浄拭掃材１２およびスペーサ１３に、例えば約７０〜８０ｍｍ程度の前後方向の間隔で前後一対となっている透孔１６を貫設形成し、この透孔１６それぞれに、一端側から支持手段の一方を構成する棒状の第１支持材１４を貫挿させ、他端側から支持手段の他方を構成する第２支持材１５を貫挿させ、所定位置の透孔１６内部で両者をネジ止めする。このようにして、各スペーサ１３を介して複数の洗浄拭掃材１２同士が、クリート溝Ｃそれぞれの幅員に対応して互いに所定の間隔を保持しながら固定されるようにしてある。
【００３１】
具体的には、例えば図１および図４に示すように、支持手段の一方の第１支持材１４は洗浄体１１の全長よりも若干短い棒材によって形成され、その一端には外径が前記左右側壁３の嵌合部４の溝の内法幅に対応した円形頭部状の端部１４ａを有し、他端には棒材自体の外径よりも若干細い外径を有する雄ネジ１４ｂが設けられている。また、支持手段の他方の第２支持材１５は第１支持材１４よりも短い棒状に形成され、一端には第１支持材１４の雄ネジ１４ｂをねじ込ませるための雌ネジ１５ｂを有し、他端には外径が前記左右側壁３の嵌合部４の溝の内法幅に対応した円形頭部状の端部１５ａを有している。
【００３２】
そして、第１支持材１４の雄ネジ１４ｂ側および第２支持材１５の雌ネジ１５ｂ側それぞれを、例えば硬質・剛性等の当板１７を介して互いに反対側から透孔１６に挿入し、所定位置の透孔１６内部にて雌ネジ１５ｂに雄ネジ１４ｂがねじ込まれることで洗浄拭掃材１２およびスペーサ１３が左右両側から保持固定されるものとなっている。当板１７は、洗浄拭掃材１２およびスペーサ１３に対応した同一の透孔１６を有しているが、当板１７の縦の長さを洗浄拭掃材１２の縦の長さよりも若干短くなっており、拭掃中において当板１７がステップに接触しないようになっている。
【００３３】
第１支持材１４、第２支持材１５相互のネジ止めに際し、付与される圧縮力に対する弾性作用で肉厚が変動するスペーサ１３によって洗浄拭掃材１２相互間の間隔幅員を調整することができる。すなわち、クリート溝Ｃ相互間の間隔、クリート溝Ｃ自体の溝幅員それぞれに対応するように、洗浄拭掃材１２、スペーサ１３それぞれの枚数の選定と共にねじ込み長さを調整すると良い。
【００３４】
尚、両端部１４ａ，１５ａ，１８ａの各側平面には六角レンチ等にて捻回するための六角穴が設けられており、第１支持材１４あるいは第２支持材１５のどちら側からでも容易に回転操作が行えるようにしてある。
【００３５】
図５には別の実施の形態が示されており、支持手段として対となる小径棒状の支持棒材１８としたものであり、端部が洗浄体保持部１の左右側壁に形成してある嵌合部４それぞれに嵌り込む長さとし、洗浄拭掃材１２、スペーサ１３をクリート溝Ｃそれぞれに嵌り込むように枚数等を設定し、適宜に調整して組み合わせることで洗浄体１１とすることができる。こうすることで、支持棒材１８による洗浄体保持部１に対する着脱、抜き差しによる洗浄拭掃材１２、スペーサ１３それぞれの間隔・枚数設定、交換等ができ、構成を簡易にする。
【００３６】
このように構成される洗浄体１１においては、図４に示すように、洗浄拭掃材１２の厚さは、エスカレータのステップＳに形成されている複数のクリート溝Ｃの溝幅に略対応し、スペーサ１３の厚さは、隣り合う複数のクリート溝Ｃを互いに区画している突条堰である凸部の間隔幅に略対応している。このとき、洗浄拭掃材１２の厚さをクリート溝Ｃの溝幅よりも若干小さくすることでクリート溝Ｃ内への洗浄拭掃材１２の嵌め込みが円滑に行える。と同時に洗浄拭掃材１２の下端縁面がクリート溝Ｃ内の溝底面に圧接された際には、当該下端縁が若干拡がり、溝底面全体に当接することで溝底内に付着した油脂分、塵埃等を確実に洗浄、拭除できるようにしている。
【００３７】
また、洗浄体１１は、洗浄体保持部１の左右側壁３相互間において上下反転して取り付けることができるようになっている。すなわち、洗浄体１１を上下反転させても、前後一対の支持手段（１４，１５，１８）は前後反転した状態となって、各嵌合部４に嵌合させることができるようになっている。
【００３８】
洗浄体１１は第１支持材１４および第２支持材１５、支持棒材１８それぞれの端部１４ａ，１５ａ，１８ａを、洗浄体保持部１の左右側壁３内面において形成されている嵌合部４に下側から挿入させ且つ前後いずれかの方向に移動させることにより、洗浄体１１自体は抜脱不能な状態に左右側壁３相互間で保持される。これによって洗浄拭掃材１２の下端縁が洗浄体保持部１の側壁３下端から下方に向けて例えば約２０ｍｍ程度だけ突出配置されるようになっている。
【００３９】
次に、以上のように構成された形態についての組立、使用の一例について説明すると、洗浄体１１自体の組立は、図１に示すように、先ず洗浄拭掃材１２の例えば２０枚を１９枚のスペーサ１３の各１枚を介在させて並列状に組み合わせておく。このとき、複数の洗浄拭掃材１２同士の間隔が複数のクリート溝Ｃ同士の間隔に対応するようスペーサ１３を所定の厚さに予め調整しておく。
【００４０】
そして、洗浄拭掃材１２およびスペーサ１３の前後一対の透孔１６それぞれに、当板１７を介在させて一端側から支持手段の第１支持材１４を、他端側から同じく支持手段の第２支持材１５をそれぞれ貫挿し、第１支持材１４の雄ネジ１４ｂと第２支持材１５の雌ネジ１５ｂとを透孔１６内部でネジ止めする。このようにして、各スペーサ１３を介して複数の洗浄拭掃材１２同士を互いに所定の間隔を保持して固定することで、洗浄体１１を構成しておく。
【００４１】
洗浄体１１を洗浄体保持部１に取り付けるに際し、図３（ａ）および図３（ｂ）に示すように、支持手段の端部である第１支持材１４および第２支持材１５それぞれの端部１４ａ，１５ａを左右側壁３内面の各嵌合部４に下側から挿入し且つ洗浄体１１を前後いずれかの方向、例えば洗浄体保持部１の前寄り側に移動することで端部１４ａ，１５ａは嵌合部４の前側溝壁によって係止され、洗浄体１１自体は抜脱不能な状態に保持される。
【００４２】
清掃作業員Ｒによる使用に際し、図６に示すように、例えば上りエスカレータの昇り口階下側においては、運転中のエスカレータのステップＳが清掃作業員Ｒの作業位置に対し前方へ向けて順次繰り出されている。そこで、清掃作業員Ｒは洗浄拭掃材１２に所定の洗浄液を湿潤して含ませておいて、取っ手５を持って洗浄体１１の洗浄拭掃材１２の各下端縁を複数のクリート溝Ｃそれぞれに嵌合させたままの状態で取っ手５を保持固定させておく。すると、ステップＳの前進移動によって洗浄拭掃材１２はクリート溝Ｃ内の後方側に相対摺動させられ、クリート溝Ｃ内にこびりつくように付着している機械油等の余分な油脂分は洗浄され、また油脂分に混じる塵埃等は後方側に掻き寄せられる。このようにエスカレータの運転中、ステップＳの出てくる場所で洗浄体１１をあてがっておくだけでクリート溝Ｃ内の油脂分、塵埃等は謂わば掻き払い状に除去されるのである。
【００４３】
このとき、洗浄拭掃材１２の滑り摩擦によって、洗浄体１１は、これを固定保持させている洗浄体保持部１に対して前方側に押しやられようとするが、第１支持材１４が略Ｔ字状の嵌合部４の前側溝壁に係止されているため、前方側への移動が阻止されると同時に洗浄体保持部１からの洗浄体１１の脱落も阻止される。
【００４４】
尚、下りエスカレータの降り口階上側においても、上記した同じ操作でもって、エスカレータを運転しながらクリート溝Ｃ内の油脂分、塵埃等が洗浄、除去される。
【００４５】
また、長期にわたる繰り返し使用によって洗浄体１１の下端縁が摩耗し汚れた際には、支持手段の端部である第１支持材１４および第２支持材１５それぞれの端部１４ａ，１５ａを嵌合部４の中央位置に移動させてから下方に取り出し、洗浄体１を上下反転させてから端部１４ａ，１５ａを再度嵌合部４に下側から嵌め込み、洗浄体保持部１に対して洗浄体１１を前後いずれかの方向に移動することで固定すれば良い。
【００４６】
さらに、洗浄体１１を新規なものに交換する際には、洗浄体１１から第１支持材１４および第２支持材１５を取り外すことで洗浄拭掃材１２およびスペーサ１３を解体し、洗浄拭掃材１２だけを廃棄処分すれば良い。
【００４７】
尚、図示を省略したが、ステップＳのライザー溝に対しても同様にあてがい、清掃することができる。
【符号の説明】
【００４８】
Ｓ…ステップ                            Ｃ…クリート溝
Ｒ…清掃作業員
１…洗浄体保持部                        ２…天板
３…左右側壁                            ４…嵌合部
５…取っ手
１１…洗浄体                            １２…洗浄拭掃材
１３…スペーサ                          １４…第１支持材（支持手段）
１４ａ…端部                            １４ｂ…雄ネジ
１５…第２支持材（支持手段）            １５ａ…端部
１５ｂ…雌ネジ                          １６…透孔
１７…当板                              １８…支持棒材（支持手段）
１８ａ…端部
【図１】
0005595130.tif 000002
【図２】
0005595130.tif 000003
【図３】
0005595130.tif 000004
【図４】
0005595130.tif 000005
【図５】
0005595130.tif 000006
【図６】
0005595130.tif 000007